(57)【要約】【課題】画像を構成するドットのそれぞれを、画像形成装置の露光装置における発光ダイオードの発光光量を変化させて階調表現するようにした場合、各ドットが小さくなってドット再現性が不安定な状態になり、濃度の均一性が損なわれてざらつき感が増大する。そのため、簡単、安価な構成で、粒状感（ざらつき感）を減少させた画像形成装置を提供することが課題である。【解決手段】扱う画像データを構成するドットのうち、発光光量を変化させた発光ドットの割合により、画像形成装置における露光装置のレンズアレイの焦点位置を感光体に対してデフォーカスにし、ドラムの潜像分布を平準化すると共にトナーも均一に現像されるようにして、画像濃度の均一化を計って粒状感を減少させるようにした。【選択図】      図３
2004174771.tif 000002
【特許請求の範囲】
【請求項１】
発光ダイオードアレイからの光をレンズアレイによって感光体に結像させ、形成する画像を構成するドットのそれぞれを、前記発光ダイオードの発光光量変化によって階調表現するようにした露光装置を有する画像形成装置において、
前記露光装置は、前記画像を構成するドット全体における発光光量を変化させる発光ドットの割合が所定値以上の時、前記光の焦点を感光体に対してデフォーカスするデフォーカス手段を備えたことを特徴とする画像形成装置。
【請求項２】
前記露光装置の焦点を感光体に対してデフォーカスにするのは、発光光量を変化させた発光ドットの割合が、画像を構成するドットの６０％以上の場合であることを特徴とする請求項１に記載した画像形成装置。
【請求項３】
複数色または複数色のそれぞれに対応した感光体と、該感光体のそれぞれに対応し、発光ダイオードアレイからの光をレンズアレイによって前記感光体に結像させ、形成する画像を構成するドットのそれぞれを、前記発光ダイオードの発光光量変化によって階調表現するようにした露光装置を有する画像形成装置において、
前記露光装置は、前記複数色で反射輝度の大きい色を、前記光の焦点を感光体に対してデフォーカスするデフォーカス手段を備えたことを特徴とする画像形成装置。
【請求項４】
前記露光装置の焦点を感光体に対してデフォーカスにする色を、イエローとしたことを特徴とする請求項３に記載した画像形成装置。
【請求項５】
前記デフォーカス手段は、前記露光装置を移動させる手段、前駆機発光ダイオードアレイを移動させる手段、あるいは前記レンズアレイを移動させる手段であることを特徴とする請求項１又は３に記載した画像形成装置。
【請求項６】
前記露光装置は、複数の画像形成装置間に共通して使用可能であり、各画像形成装置によって前記デフォーカス手段により調整可能とすることを特徴とする請求項１又は３に記載した画像形成装置。
【発明の詳細な説明】
【０００１】
【発明の属する技術分野】
本発明は、複写機、プリンタ、ファクシミリ、それらの複合機などに用いられる画像形成装置に関し、特に、感光体の軸方向に配列した発光ダイオードと、その発光ダイオードに対応して設けたレンズアレイとで構成した露光装置を用いると共に、画像形成装置で形成する画像を構成するドットのそれぞれを、前記露光装置における発光ダイオードの発光光量を変化させることで階調表現するようにした画像形成装置において、形成された画像の粒状度（ざらつき感）を改善して画像の粗さや濃度ムラを防ぐようにした画像形成装置に関するものである。
【０００２】
【従来の技術】
最近、複写機、プリンタ、ファクシミリ、それらの複合機などに用いられる画像形成装置においても、パーソナル化の要求に伴って小型化、低価格化が要請され、従来のレーザダイオードとポリゴンミラーを用いた露光装置に代わって発光ダイオード（以下ＬＥＤと略称する）をアレイ状に配した露光装置が用いられるようになってきた。すなわちＬＥＤを用いた露光装置は、レーザダイオードとポリゴンミラーを用いた露光装置に比較して小型であり、しかも高価なポリゴンミラーやポリゴンモータなどの精密可動部品、及び複雑な制御回路が必要なく、簡単、安価に構成できるからである。
【０００３】
また電子写真方式を用いた画像形成装置においても、高画質化のため、解像度を６００ｄｐｉ、１２００ｄｐｉなど、高精細化することが行われ、同時に多階調の表現のために各ドットの発光時間を変化させ、各ドット自身を例えば１６階調の多階調表現して、２５６階調を表現できるようにするといったことが行われている。すなわち、発光ダイオードを用いた露光装置においては、発光時間が簡単に制御できるから多階調表現が容易にできる。しかしながら６００ｄｐｉはその１画素が約４０μｍであり、１２００ｄｐｉは２０μｍであるから、この各ドット自身を１６階調表現するため、前記したように各ドットの発光時間を制御すると、各ドットは更に小さなものとなる。
【０００４】
しかしながらこのように各ドットが小さくなると、ドット再現性が不安定な状態になり、再現されるドットもあれば再現されないドットも出てくる。すなわち前記したように、多階調表現のため１ドットの発光時間を短くしたドットでは、発光の立ち上がり特性の影響を受け、また、感光体ドラムの感度のバラツキによって再現性に差が出る。すると、感光体ドラムの潜像分布にバラツキが生じてそこに現像されたトナーの量に差が生じ、このトナー量の差により、濃度の均一性が損なわれて粒状感（ざらつき感）が増大する傾向にある。これは、特に前記露光装置のピントを正確に感光体に合わせた場合（ジャストピント）に生じる。すなわちジャストピント位置では、一見ジャストピントによって画像の再現性が良くなるように考えられるが、ドットが非常に小さくなった場合、上記の理由によって濃度の均一性が損なわれてざらつき感が増大する。
【０００５】
こういった粒状感（ざらつき感）に対処した画像形成装置としては、例えば特許文献１がある。すなわちこの特許文献１に記載された装置は、電子写真プロセスで使用される露光光学系の結像位置のずれに伴う粒状感の発生、濃度の変動、細線や文字の再現性低下などの画質劣化を防止するようにした画像形成装置に関するもので、まずプリンタ部に中間調サンプル画像を形成させ、形成されたサンプル画像を読み取ってＦＦＴ（高速フーリエ変換）などを用いて画像信号の明度成分から粒状感を数値として把握する。そして、その値に基づいて露光結像系の結像位置のずれを検知し、その検知結果に基づいてずれ量が±５０〜１５０μｍの場合はドット集中型ディザ法を用い、±１５０μｍ以上の場合は露光光量アップという具合に、ズレ量に応じてプリンタ部に供給すべき画像データを生成する際の画像処理方法を設定し、検知結果に基づき、電子写真プロセスにおける露光光量を調整するようにしたものである。
【０００６】
【特許文献１】
特開２００２−５５４９８公報
【０００７】
【発明が解決しようとする課題】
しかしながらこの特許文献１に記載された装置は、プリンタ部に中間調サンプル画像を形成して粒状感を数値として把握する手段、把握した粒状感の数値に基づき、露光結像系の結像位置のずれを検知する手段、その検知結果に基づいてずれ量の幅に応じてずれを補正する方法を決定する手段、ずれ補正のための画像処理手段などをそれぞれ用意せねばならず、複雑で、当然高価にならざるを得ない装置である。
【０００８】
そのため本発明においては、小さなドットによるドット再現性の不安定さに起因した濃度の不均一性による粒状感（ざらつき感）を、簡単、安価な構成で減少させた画像形成装置を提供することが課題である。
【０００９】
【課題を解決するための手段】
上記課題を解決するため本発明は、
発光ダイオードアレイからの光をレンズアレイによって感光体に結像させ、形成する画像を構成するドットのそれぞれを、前記発光ダイオードの発光光量変化によって階調表現するようにした露光装置を有する画像形成装置において、
前記露光装置は、前記画像を構成するドット全体における発光光量を変化させる発光ドットの割合が所定値以上の時、前記光の焦点を感光体に対してデフォーカスするデフォーカス手段を備えたことを特徴とする。
【００１０】
前記したように多階調表現のためにドットが小さくなると、ドット再現性が不安定な状態になり、再現されるドットもあれば再現されないドットも出てくる。すなわち多階調表現のために１ドットの発光時間を短くしたドットでは、発光の立ち上がり特性の影響を受け、また、感光体ドラムの感度のバラツキによって再現性に差が出る。すると、感光体ドラムの潜像分布にバラツキが生じてそこに現像されるトナーの量に差が生じ、このトナー量の差により、濃度の均一性が損なわれて粒状感（ざらつき感）が増大する傾向にある。これは、特に前記露光装置のピントを正確に感光体に合わせた場合（ジャストピント）に生じる。ジャストピント位置では、一見ジャストピントによって画像の再現性が良くなるように考えられるが、前記の理由によって濃度の均一性が損なわれ、ざらつき感が増大する。そのため本発明においては、デフォーカス手段を設け、画像データを構成するドットのうち、発光光量を変化させた発光ドットの割合が一定以上の場合、露光装置を逆にデフォーカスとすることで、各ドットが一様にピンボケするようにし、ドラムの潜像分布を平準化すると共にトナーも均一に現像されるようにして、画像濃度の均一化を計って粒状度を減少させるようにした。このようにすることにより、簡単、安価な構成で、小さくなったドットによるドット再現性の不安定さに起因した濃度の不均一性による粒状感（ざらつき感）を減少させた画像形成装置を提供することが可能となる。
【００１１】
そして、前記露光装置の焦点を感光体に対してデフォーカスにするのは、発光光量を変化させた発光ドットの割合が、画像を構成するドットの６０％以上の場合とすることにより、ドラムの潜像分布を平準化すると共にトナーも均一に現像され、画像の均一性が良くなる。そしてこのようにすることにより、小さくなったドットによるドット再現性の不安定さに起因した濃度の不均一性による粒状感（ざらつき感）を減少させた画像形成装置を提供することが可能となる。
【００１２】
また本発明は、
複数色または複数色のそれぞれに対応した感光体と、該感光体のそれぞれに対応し、発光ダイオードアレイからの光をレンズアレイによって前記感光体に結像させ、形成する画像を構成するドットのそれぞれを、前記発光ダイオードの発光光量変化によって階調表現するようにした露光装置を有する画像形成装置において、
前記露光装置は、前記複数色で反射輝度の大きい色を、前記光の焦点を感光体に対してデフォーカスするデフォーカス手段を備えたことを特徴とする。
【００１３】
画像形成装置で使う色のうち、反射輝度の大きい色は単色では“階調とび”のような画像不良は視覚ではわからない。そのため、デフォーカス手段を設け、反射輝度の大きい色をデフォーカスにしておくと、他の色と合わせて使用したとき、きめの細かい部分の表現（粒状度向上）が可能となる。
【００１４】
そして、前記露光装置の焦点を感光体に対してデフォーカスにする色を、イエローとすると、イエローは単色のカラー色の中でいちばん反射輝度が高く、単色では“階調とび”のような画像不良は視覚ではわからないため、その他の色と合わせて使用したとき、デフォーカスにしておくことで、きめの細かい部分の表現が可能となり、粒状度の向上が可能となる。
【００１５】
なお前記デフォーカス手段は、前記露光装置を移動させる手段、前駆機発光ダイオードアレイを移動させる手段、あるいは前記レンズアレイを移動させる手段とすることにより、容易に露光装置をデフォーカス状態にすることができる。
【００１６】
また前記露光装置は、複数の画像形成装置間に共通して使用可能であり、各画像形成装置によって前記デフォーカス手段により調整可能とすることにより、どのような形式の画像形成装置でも使用可能となる。
【００１７】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００１８】
図１は本発明を実施するカラー画像形成装置の一例の概略構成図、図２は本発明に用いる露光装置の概略構成図、図３は画像を構成するドットのうち、階調表現のために発光光量を変化させた発光ドットの割合による焦点位置精度と粒状度の関係を示したグラフ、図４はイエローとマゼンタを混色したときの焦点位置精度と粒状度の関係を示したグラフ、図５は、階調表現のために画像を構成するドットの発光光量を変化させた場合（Ａ）と、そのドットの数を変化させた場合（Ｂ）の概念図である。
【００１９】
図１において、１はカラー画像形成装置、２は現像装置、３は感光体、４は露光装置、５は記録媒体の搬送ベルト、６は現像剤容器、７は記録媒体を収容した給紙カセット、８は感光体３を帯電させるための帯電器、９は感光体３上のトナー像を転写バイアスにより記録媒体に転写するための転写装置、１０は記録媒体に転写されたトナー像を定着させる定着装置であり、このうち現像装置２、感光体３、露光装置４、現像剤容器６、感光体３を帯電させるための帯電器８、感光体３上のトナー像を転写バイアスにより記録媒体に転写するための転写装置９は、カラー画像形成装置で使われるイエロー、シアン、マゼンタ、ブラックなどの色のそれぞれに対応してプロセスユニットとして設けられる。図２において４は発光ダイオードを用いた露光装置で、２０は感光体の結像面（表面）、２１はファイバーレンズアレイ、２２は回路基板２３上に形成された発光ダイオードアレイ、２４は発光ダイオードアレイ２２のドライバーＩＣ、２５は露光装置４の焦点の調整ピンである。
【００２０】
最初に本発明に用いるカラー画像形成装置の一例の動作について簡単に説明すると、ます、イエロー、シアン、マゼンタ、ブラックなどのそれぞれの色に対応したプロセスユニットにおいて、現像剤が現像剤容器６から現像装置２に供給され、攪拌によって現像剤中のトナーが帯電される。そして、図示していない制御回路から各色に対応した画像信号によるプリント信号が送られて来ると、まず、それぞれのプロセスユニットの帯電器８によって感光体３が帯電され、その後、露光装置４を構成するＬＥＤに画像信号が送られて、それぞれの色に対応した感光体３にそれぞれの色に対する画像の潜像が形成される。そしてこの潜像は、現像装置２により現像され、トナー像が形成される。
【００２１】
こうしてトナー像が感光体３上に形成されると、そのトナー像が転写位置に至るタイミングに合わせて記録媒体が給紙カセット７から取り出され、搬送ベルト５で搬送されてくるため、各色毎の転写位置に設置されている転写装置９によって転写バイアスを印加し、記録媒体にトナー像を転写する。そして各色のトナー像が記録媒体に順次転写され、記録媒体が定着装置１０に至ると、この定着装置１０で定着されて排紙される。
【００２２】
そしてこのうち露光装置４は、図２に示したように、回路基板２３上に形成されたドライバーＩＣ２４によって駆動される発光ダイオードアレイ２２からの光が、ファイバーレンズアレイ２１によって感光体の結像面（表面）２０に結像するようになっており、通常、発光ダイオードアレイ２２からファイバーレンズアレイ２１までの光路長と、ファイバーレンズアレイ２１から感光体の結像面（表面）２０までの光路長は略等しくなっていて、この露光装置４における調整ピン２５を回転させて矢印２６方向に移動させ、感光体の結像面（表面）２０に対するピント位置が調節できるようになっている。
【００２３】
このように構成した画像形成装置において、画像を形成する画素（ドット）を、図５に示したように例えば４×４の１６毎に区切り、各１マス（セル）を１ドットとすると共に、更にこのドットを前記したように露光装置の露光量を変化させるなどして０／１５〜１５／１５の１６段階に大きさを変え、階調表現できるようにする。このようにすることにより、この４×４の各ブロックにおいては２５６階調の表現が可能となると共に、平網などの使用が可能となる。しかしこの場合、１画素（ドット）は、例えば６００ｄｐｉの場合は約４０μｍに、１２００ｄｐｉの場合は約２０μｍとなるから、この各ドット自身を各ドットの発光時間を制御するなどして１６階調表現すると、各ドットは更に小さなものとなる。
【００２４】
そのため前記したように、例えば１／１５のような微小なドットが単独で存在した場合、露光装置４を構成する発光ダイオードアレイ２２の発光立ち上がり特性の影響や、感光体３の感度のバラツキによってドット再現性に差が出て不安定な状態になり、再現されるドットもあれば再現されないドットも出てくる。すると、感光体３の潜像分布にバラツキが生じ、そこに現像されたトナーの量に差が生じて濃度の均一性が損なわれ、粒状感（ざらつき感）が増大する。これは、特に前記露光装置４のピントを正確に感光体３に合わせた場合（ジャストピント）に生じる。すなわちジャストピント位置では、一見ジャストピントによって画像の再現性が良くなるように考えられるが、ドットが非常に小さくなった場合、上記の理由によって濃度の均一性が損なわれてざらつき感が増大する。
【００２５】
この焦点位置精度と粒状度の関係を示したのが図３のグラフである。この図３において、横軸は、図２に示した露光装置４における感光体結像面２０に対する焦点ズレの大きさを示し、縦軸は粒状度を示す。そして、発光光量を変化させた発光ドットの割合が１００％とは、図５（Ａ）のように、１６セル全てを例えば１セルの７／１５の大きさのドットで構成したような場合であり、５０％とは、図５（Ｂ）のように１６セルのうちの８セルを１セルの７／１５の大きさのドットで構成したような場合、３０％とは、同じく１６セルのうちの５セルを７／１５のドットで構成した場合である。そのため、図３に示した６０％の線は、１０セルを７／１５のドットで構成した場合になる。なおここに示した粒状度は、前記特許文献１に記載されているように、まず中間調サンプル画像を形成し、そのサンプル画像を読み取ってＦＦＴ（高速フーリエ変換）などを用いて画像信号の明度成分から粒状感を数値として把握するなどの方法で測定したものである。
【００２６】
また、露光装置４を構成する発光ダイオード２２の発光点から感光体結像面２０までの距離は９〜１８ｍｍ、レンズアレイ２１端面から感光体結像面２０までの距離は２．４〜５．０ｍｍ程度が好ましく、この図３に示した焦点位置精度と粒状度の関係を示したグラフは、例えば発光ダイオード２２の発光点から感光体結像面２０までの距離を１５．１ｍｍ、レンズアレイ２１端面から感光体結像面２０までの距離を４．１ｍｍとして測定したものである。
【００２７】
そしてこの図３のグラフから明らかなように、発光光量を変化させた発光ドットの割合が６０％から１００％の間では、焦点ズレが約１００μｍ近辺で最も粒状度が小さくなり、３０％の場合は焦点ズレによって粒状度が単純に大きくなっている。すなわち発光光量を変化させた発光ドットの割合が６０％から１００％の間では、約１００μｍ程度デフォーカスにすることで各ドットが一様にピンボケし、ドラムの潜像分布も平準化されてトナーも均一に現像され、画像濃度が均一になって粒状度が減少する。そして１００μｍを超えて大きくデフォーカスにすると、今度は潜像分布が形成されずに現像しなくなり、粒状度が悪化する。そして３０％の場合はドットの割合が少ないということであるが、これは単独ドットの割合が多くなり、ピントズレによるスジムラが発生してくるため、粒状度が単純に悪化してゆくのである。
【００２８】
そのため本発明においては、画像形成装置の組み立て時、扱う画像データ中の発光光量を変化させた発光ドットの割合を調べ、それが６０％以上ある場合、図２に示した露光装置４における調整ピン２５を調節し、感光体結像面２０に対するピント位置をデフオーカスにするようにした。すなわち前記したように、例えば発光ダイオードアレイ２２の発光点から感光体結像面２０までの距離を１５．１ｍｍ、レンズアレイ２１の端面から感光体結像面２０までの距離を４．１ｍｍとした場合、感光体の結像面２０に対するピント位置を約１００μｍだけデフオーカスにすることにより、前記したように感光体３上の潜像分布が平準化されると共にトナーも均一に現像されるようになり、画像濃度の均一化が計られて粒状度が減少する。そのため、このように簡単、安価な構成で、小さくなったドットによるドット再現性の不安定さに起因した濃度の不均一性による粒状感（ざらつき感）を減少させた画像形成装置を提供することが可能となる。
【００２９】
なお、本実施例では、デフォーカス手段として調整ピン２５を用い、調節ピン２５の回転により露光装置４全体を感光体結像面２０方向に移動させてピント位置を調整する場合について説明しているが、発光ダイオードアレイ２２から出た光の感光体結像面２０へのピント位置がずれるように調節可能な手段であれば、どのような構成であっても良い。例えば、発光ダイオードアレイ２２や回路基板２３のみを移動させる手段、ファイバーレンズアレイ２１のみを移動させる手段、さらには感光体３を移動させるデフォーカス手段としても良い。
【００３０】
また図４は、イエローとマゼンタを混色したときの焦点位置精度と粒状度の関係を示したグラフであり、前記と同様例えば発光ダイオード２２の発光点から感光体結像面２０までの距離を１５．１ｍｍ、レンズアレイ２１端面から感光体結像面２０までの距離を４．１ｍｍとして測定したものである。イエローは反射輝度が高く、単色の場合、”階調とび”  のような画像不良は視覚ではほとんどわからず、その他の色と色合わせしたときに発光光量を変化させた発光ドットの割合が増える。そのため、図３における各画像におけるドットの割合が１００％の場合と同様、焦点ズレが約±１００μｍ近辺で最も粒状度が小さくなる。
【００３１】
そのため本発明においては、前記画像形成装置１においてイエローに対応する露光装置４における焦点を、扱う画像データを構成する発光光量を変化させた発光ドットの割合が前記したように６０％を超える場合、すなわち発光しないドット（発光光量０のドット）の割合が４０％以下の時、感光体の結像面２０に対してデフォーカスにするようにしたものである。なおこのデフォーカス量は、前記と同様例えば発光ダイオードの発光点から感光体までの距離を１５．１ｍｍ、レンズアレイ端面から感光体までの距離を４．１ｍｍとした場合、約±１００μｍとなる。
【００３２】
このようにすることにより、前記したようにイエローは、単色のカラー色の中でいちばん反射輝度が高く、単色では“階調とび”のような画像不良は視覚ではわからないため、その他の色と色合わせしたとき、デフォーカスにしておくことで、きめの細かい部分の表現が可能となり、粒状度の向上が可能となる。また、各画像における発光しないドット（発光光量０のドット）の割合が４０％以下、すなわち実際にドットとして存在するドットが６０％以上ある場合、デフォーカスにした方がドラムの潜像分布を平準化すると共にトナーも均一に現像され、画像の均一性が良くなる。そのためこのように、発光しないドットの割合が４０％以下の場合にデフォーカスにすることにより、小さくなったドットによるドット再現性の不安定さに起因した濃度の不均一性による粒状感（ざらつき感）を減少させた画像形成装置を提供することが可能となる。
【００３３】
なお、本実施例では、各色毎に対応した感光体３を備えた画像形成装置について説明したが、全色に対応した感光体、あるいは複数色に対応した感光体であっても同様な効果を得ることができる。
【００３４】
さらに本実施例では、露光装置４を画像形成装置に組み立てる際にデフォーカス調節を行う場合を説明している。このように、組み立て時にデフォーカス調節を可能とすることにより、発光光量を変化させる発光ドットの割合が異なる機種に共通した露光装置４を用いることができ、部品の共通化を図ることができる。また、他の実施例として、露光装置４を画像形成装置に組み込み、使用者が使用している途中でデフォーカス手段による調節を可能とするようにしても良い。具体的には、装置筐体状に形成されたボタンや接続された外部機器により、デフォーカス手段による調節を可能として、印刷条件や印刷結果によりデフォーカス手段による調節を行い、所望の印刷結果を得られるようにしたり、露光装置４の長期使用による変動（回路基板２３の反り等）や温湿度センサ等から得られる使用環境に応じ、自動的にデフォーカス手段により調節を行うようにしても良い。
【００３５】
【発明の効果】
以上記載の如く本発明によれば、デフォーカス手段を設け、画像データを構成する複数のドットのうち、発光光量を変化させた発光ドットの割合が一定以上の場合、露光装置をデフォーカスとすることで各ドットが一様にピンボケするようにし、ドラムの潜像分布を平準化すると共にトナーも均一に現像されるようにして、画像濃度の均一化を計って粒状度を減少させるようにしたから、簡単、安価な構成で、小さくなったドットによるドット再現性の不安定さに起因した濃度の不均一性による粒状感（ざらつき感）を減少させた画像形成装置を提供することが可能となる。
【００３６】
また本発明によれば、反射輝度の大きい色は単色では“階調とび”のような画像不良は視覚ではわからない。そのため、デフォーカス手段を設け、反射輝度の大きい色をデフォーカスにしておくと、他の色と合わせて使用したとき、きめの細かい部分の表現（粒状度向上）が可能となる。
【図面の簡単な説明】
【図１】本発明を実施するカラー画像形成装置の一例の概略構成図である。
【図２】本発明に用いる露光装置の概略構成図である。
【図３】画像を構成するドットのうち、階調表現のために発光光量を変化させた発光ドットの割合による焦点位置精度と粒状度の関係を示したグラフである。
【図４】イエローとマゼンタを混色したときの焦点位置精度と粒状度の関係を示したグラフである。
【図５】階調表現のために画像を構成するドットの発光光量を変化させた場合（Ａ）と、そのドットの数を変化させた場合（Ｂ）の概念図である。
【符号の説明】
１  カラー画像形成装置
２  現像装置
３  感光体
４  露光装置
５  搬送ベルト
６  現像剤容器
７  給紙カセット
８  帯電器
９  転写装置
１０  定着装置
２０  感光体の結像面（表面）
２１  ファイバーレンズアレイ
２２  発光ダイオードアレイ
２３  回路基板
２４  ドライバーＩＣ
【図１】
2004174771.tif 000003
【図２】
2004174771.tif 000004
【図３】
2004174771.tif 000005
【図４】
2004174771.tif 000006
【図５】
2004174771.tif 000007